(57)【特許請求の範囲】
【請求項１】
目地部を介して設けられた左右の建物の目地部側の通路の床躯体に形成された一対の目地プレートスライド支持凹部と、この一対の目地プレートスライド支持凹部の中央部の両端部がスライド移動可能に支持された複数本の目地プレート支持バーと、この複数本の目地プレート支持バーのほぼ中央部に枢支ピンでそれぞれ枢支され、かつ前記目地部の中央部に位置する中央支持バーと、この中央支持バーを常時前記目地部の中央部に位置させる少なくとも２個以上の中央維持リンクと、前記複数本の目地プレート支持バーの少なくとも１本の両端部を左右方向に案内する左右方向のガイド手段と、前記複数本の目地プレート支持バー上を覆うように所定間隔で枢支され、かつ両側部にスライド移動して伸縮することができる、通常時には収縮用の隙間を有するように係合片と係合凹部が形成された複数枚の目地プレートと、前記一対の目地プレートスライド支持凹部上に位置する複数枚の目地プレートおよび、該一対の目地プレートスライド支持凹部を覆うように床躯体に取付けられたカバープレートとからなることを特徴とする床用目地装置。
【請求項２】
複数枚の目地プレートは板状の目地プレート本体と、この目地プレート本体の両側部に形成された相欠状の係合片と係合凹部と、前記目地プレート本体の中央部で、目地プレート支持バーの位置する部位に形成された皿状の枢支ピン挿入孔とで構成されていることを特徴とする請求項１記載の床用目地装置。
【発明の詳細な説明】
【技術分野】
【０００１】
本発明は目地部を介して設けられた左右の建物の通路を接続する床用目地装置に関する。
【背景技術】
【０００２】
従来、一方の建物の通路と目地部を介して設けられた他方の建物の通路を接続する場合、一方の建物の目地部側の通路の床躯体に、所定間隔で後端部が枢支され、先端部が他方の建物の目地部側の床躯体上にスライド移動できるような複数本の目地プレート支持バーを配置し、該複数本の目地プレート支持バーに目地部を覆う目地プレート、あるいは目地部を覆うように複数枚の目地プレートを固定していた。
【０００３】
このため、地震による異なる左右の揺れ動きは十分に吸収することができるが、異なる前後方向の揺れ動きは十分に吸収できず、吸収するためには、両側部に異なる前後方向の揺れ動き時に伸縮する補助目地プレートを設置しなければ床面に隙間が生じ、危険になるという欠点があった。
欠点があった。
【先行技術文献】
【特許文献】
【０００４】
【特許文献１】特許第３９２３４５７号公報
【発明の概要】
【発明が解決しようとする課題】
【０００５】
本発明は以上のような従来の欠点に鑑み、地震で異なる前後左右方向に揺れ動いても補助目地プレートを用いることなく、床部分に隙間が生じることなく、安全に使用することができる、構造が簡単で、容易に設置することができる床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた左右の建物の目地部側の通路の床躯体に形成された一対の目地プレートスライド支持凹部と、この一対の目地プレートスライド支持凹部の中央部の両端部がスライド移動可能に支持された複数本の目地プレート支持バーと、この複数本の目地プレート支持バーのほぼ中央部に枢支ピンでそれぞれ枢支され、かつ前記目地部の中央部に位置する中央支持バーと、この中央支持バーを常時前記目地部の中央部に位置させる、少なくとも２個以上の中央維持リンクと、前記複数本の目地プレート支持バーの少なくとも１本の両端部を左右方向に案内する左右方向のガイド手段と、前記複数本の目地プレート支持バー上を覆うように所定間隔で枢支され、かつ両側部にスライド移動して伸縮することができる、通常時には収縮用の隙間を有するように係合片と係合凹部が形成された複数枚の目地プレートと、前記一対の目地プレートスライド支持凹部上に位置する複数枚の目地プレートおよび、該一対の目地プレートスライド支持凹部を覆うように床躯体に取付けられたカバープレートとで床用目地装置を構成している。
【発明の効果】
【０００８】
以上の説明から明らかなように、本発明にあっては次に列挙する効果が得られる。
（１）請求項１により、複数本の目地プレート支持バーに枢支された複数枚の目地プレートが、異なる前後方向に左右の建物が揺れ動いた時に、複数本の目地プレート支持バーが傾斜状態に位置して、複数枚の目地プレートを前後方向にスライド移動させることができる。
したがって、従来のように補助目地プレートを用いることなく、床部分に隙間が生じないように複数枚の目地プレートで覆うことができ、構造が簡単で、安全に使用することができる。    
（２）前記（１） によって、中央支持バーを少なくとも２個以上の中央維持リンクで目地部の中央部に位置させているので、複数本の目地プレート支持バーの中央部を目地部の中央部に位置させることができ、一方へ移動して移動量が小さくなったりするのを確実に防止することができる。
（３）前記（１）により、複数本の目地プレート支持バーの少なくとも１本の両端部を左右方向に案内する左右方向のガイド手段を用いているので、複数本の目地プレート支持バーを複数枚の目地プレートによって、所定間隔で前後左右方向に移動させることができ、揺れ動きが停止すると、元の位置へ自動的に戻すことができる。
（４）請求項２も前記（１）〜（３）と同様な効果が得られるとともに、目地プレートの加工が容易で、かつ取付けも容易にできる。
【図面の簡単な説明】
【０００９】
【図１】本発明を実施するための第１の形態の平面図。
【図２】図１の２−２線に沿う断面図。
【図３】本発明を実施するための第１の形態の一対の目地プレートスライド支持凹部の説明図。
【図４】本発明を実施するための第１の形態の中央支持バーを中央維持リンクで支持した状態の説明図。
【図５】本発明を実施するための第１の形態の複数本の目地プレート支持バーの取付け状態の説明図。
【図６】本発明を実施するための第１の形態の目地プレートの説明図。
【図７】本発明を実施するための第１の形態の目地部が狭くなった揺れ動きの動作説明図。
【図８】本発明を実施するための第１の形態の目地部が広くなった揺れ動きの動作説明図。
【図９】本発明を実施するための第１の形態の異なる前後方向の揺れ動きの動作説明図。
【図１０】本発明を実施するための第２の形態の平面図。
【図１１】図１０の１１−１１線に沿う断面図。
【図１２】本発明を実施するための第２の形態の一対の目地プレートスライド支持凹部の説明図。
【図１３】本発明を実施するための第３の形態の平面図。
【図１４】図１３の１４−１４線に沿う断面図。
【図１５】本発明を実施するための第３の形態の一対の目地プレートスライド支持凹部の説明図。
【発明を実施するための形態】
【００１０】
以下、図面に示す本発明を実施するための形態により、本発明を詳細に説明する。
【００１１】
図１ないし図９に示す本発明を実施するための第１の形態において、１は一方の建物２の通路３と目地部４を介して設けられた他方の建物５の通路６とを接続する本発明の床用目地装置で、この床用目地装置１は前記一方の通路３と他方の通路６の目地部側の床躯体３ａ、６ａに形成された、前記目地部の幅寸法Ｌとほぼ同じ幅寸法の一対の目地プレートスライド支持凹部７、７と、この一対の目地プレートスライド支持凹部７、７の目地部側の床躯体３ａ、６ａに両端部が枢支ピン８、８を用いた取付け金具９、９で枢支され、該目地部４の中央部に中央枢支部１０が形成されたパンタグラフ形状の少なくとも２個以上の中央維持リンク１１、１１と、この少なくとも２個以上の中央維持リンク１１、１１の中央枢支部１０、１０に枢支ピン１２、１２で枢支された中央支持バー１３と、前記一対の目地プレートスライド支持凹部７、７のほぼ中央部に両端部がスライド移動可能に支持された所定間隔で配置され、かつ両端部寄りの底面にローラ１４、１４が設けられた複数本、本発明の実施の形態では５本の目地プレート支持バー１５、１５、１５、１５、１５と、この目地プレート支持バー１５、１５、１５、１５、１５の中央部をそれぞれ前記中央支持バー１３に枢支する枢支ピン１６、１６、１６、１６、１６と、前記両側部の目地プレート支持バー１５、１５を左右方向に案内し、かつ該目地プレート支持バー１５、１５の前後方向の回動を阻止しない、前記一対の目地プレートスライド支持凹部７、７に取付けられた２対のガイドレール１７、１７、１７、１７とからなる左右方向のガイド手段１８、１８と、前記５本の目地プレート支持バー１５、１５、１５、１５、１５の上部を覆うように所定間隔で、該目地プレート支持バー１５、１５、１５、１５、１５に枢支ピン１９、１９、１９、１９、１９で枢支され、かつ両側部にスライド移動して伸縮することができる、通常時には収縮用の隙間２０を有するように相欠状の係合片２１と係合部２２が形成され、かつ中央部に複数個の皿枢支ピン挿入孔２３を有する複数枚の目地プレート２４と、前記一対の目地プレートスライド支持凹部７、７上に位置する複数枚の目地プレート２４および、該一対の目地プレートスライド支持凹部７、７を覆うように、一方と他方の床躯体３ａ、６ａに取付けられたカバープレート２５、２５とで構成されている。
【００１２】
なお、一方の建物と他方の建物である左右の建物２、５の通路３、６間の両端部は、左右の建物２、５が異なる前後左右方向に揺れ動いても、その揺れ動きを吸収することができる、既存の手摺や壁用目地装置が必要に応じて設置される。
【００１３】
上記構成の床用目地装置１は、通常時には図１および図２に示すように左右の建物２、５の通路３、６はカバープレート２５、２５、このカバープレート２５、２５の間に位置する複数枚の目地プレート２４で覆われ、安全に走行することができる。
【００１４】
地震で目地部４が狭くなるように左右の建物２、５が揺れ動いた場合、図７に示すように中央維持リンク１１、１１によって中央支持バー１３は目地部４の中央部に位置されるので、該中央支持バー１３に枢支ピン１６、１６、１６、１６、１６で中央部が枢支された目地プレート支持バー１５、１５、１５、１５、１５の両端部は一対の目地プレートスライド支持凹部７、７の内部へ入り込んだ状態となり、カバープレート２５、２５との間に少しの数の目地プレート２４が位置した状態となって、その揺れ動きを吸収する。
【００１５】
この目地プレート支持バー１５、１５、１５、１５、１５の一対の目地プレートスライド支持凹部７、７のスライド移動は、該目地プレート支持バー１５、１５、１５、１５、１５の両端部寄りの底面に取付けられたローラ１４、１４、１４、１４、１４、１４、１４、１４、１４、１４でスムーズに移動する。
【００１６】
地震で目地部４が広くなるように左右の建物２、５が揺れ動いた場合、図８に示すように中央維持リンク１１、１１によって、中央支持バー１３は目地部４の中央部に位置されるので、該中央支持バー１３に枢支ピン１６、１６、１６、１６、１６で中央部が枢支された目地プレート支持バー１５、１５、１５、１５、１５の両端部は一対の目地プレートスライド支持凹部７、７の目地部側へスライド移動した状態となり、カバープレート２５、２５との間に多くの目地プレート２４が位置した状態となって、その揺れ動きを吸収する。
【００１７】
地震により左右の建物２、５が異なる前後方向に揺れ動いた場合、図９に示すように左右方向のガイド手段１８、１８によって、目地プレート支持バー１５、１５、１５、１５、１５は前後方向に回動した状態となるため、該目地プレート支持バー１５、１５、１５、１５、１５に枢支ピン１９で枢支された複数枚の目地プレート２４は前後方向で、かつ収縮用隙間２０が小さくなるようにスライド移動して、その揺れ動きを吸収する。
【００１８】
この時、複数枚の目地プレート２４は前後方向にスライド移動するため、左右の建物２、５の通路３、６間の両端部の床面に隙間が生じるのを防止できる。
【００１９】
なお、この状態で左右の建物２、５が異なる左右方向に揺れ動いても、前述の動作が複合した動作となって、その揺れ動きを吸収することができる。
【００２０】
[発明を実施するための異なる形態]
次に、図１０ないし図１５に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２１】
図１０ないし図１２に示す本発明を実施するための第２の形態において、前記本発明を実施するための第１の形態と主に異なる点は、中央部の目地プレート支持バー１５を左右方向に案内する一対のガイドレール１７、１７を、一対の目地プレートスライド支持凹部７、７に取付けられたものを用いた左右方向のガイド手段１８Ａを用いた点で、このような左右方向のガイド手段１８Ａを用いて構成した床用目地装置１Ａにしても、前記本発明を実施するための第１の形態と同様な作用効果が得られる。
【００２２】
図１３ないし図１５に示す本発明を実施するための第３の形態において、前記本発明を実施するための第１の形態と主に異なる点は、一対の目地プレートスライド支持凹部７、７に複数本の目地プレート支持バー１５をスムーズにスライド移動できるように所定間隔で丸棒状のローラ２６を配置した下地材２７、２７を固定するとともに、この下地材２７、２７に左右方向のガイド溝２８を形成し、該ガイド溝２８と係合する係合片２９を目地プレート支持バー１５に形成したガイド手段１８Ｂを用いた点で、このように構成した床用目地装置１Ｂにしても、前記本発明を実施するための第１の形態と同様な作用効果が得られる。
【００２３】
なお、中央維持リンク１１、１１は中央支持バー１３を目地部４の中央部に位置できるものであればよく、四角枠形状の中央維持リンク、ラックとピニオン、左右のリンクを中央部でスライド可能に支持するもの等、従来から一般に使用されているリンク機構を用いてもよい。
【産業上の利用可能性】
【００２４】
本発明は目地部を介して設けられた一方の建物の通路と他方の建物の通路を接続する床用目地装置を製造する産業で利用される。
【符号の説明】
【００２５】
１、１Ａ、１Ｂ：床用目地装置、２：一方の建物、
３：一方の通路、      ４：目地部、
５：他方の建物、      ６：他方の通路、
Ｌ：目地部の幅寸法、
７：目地プレートスライド支持凹部、
８：枢支ピン、      ９：取付け金具、
１０：中央枢支部、      １１：中央維持リンク、
１２：枢支ピン、      １３：中央支持バー、
１４：ローラ、      １５：目地プレート支持バー、
１６：枢支ピン、      １７：ガイドレール、
１８、１８Ａ、１８Ｂ：左右方向のガイド手段、
１９：枢支ピン、      ２０：収縮用隙間、
２１：係合片、      ２２：係合凹部、
２３：皿枢支ピン挿入孔、    ２４：目地プレート、
２５：カバープレート、    ２６：ローラ、
２７：下地材、      ２８：ガイド溝、
２９：係合片。
【図１】
0005250588.tif 000002
【図２】
0005250588.tif 000003
【図３】
0005250588.tif 000004
【図４】
0005250588.tif 000005
【図５】
0005250588.tif 000006
【図６】
0005250588.tif 000007
【図７】
0005250588.tif 000008
【図８】
0005250588.tif 000009
【図９】
0005250588.tif 000010
【図１０】
0005250588.tif 000011
【図１１】
0005250588.tif 000012
【図１２】
0005250588.tif 000013
【図１３】
0005250588.tif 000014
【図１４】
0005250588.tif 000015
【図１５】
0005250588.tif 000016